(57)【特許請求の範囲】
【請求項１】
複数の開口部が形成された筐体と、
前記筐体内に配設され、前記開口部を通過させる光を発する光源と、
を有し、
前記複数の開口部は、前記光源から発された光を案内する複数の光案内部を有し、
当該光案内部は、前記開口部に形成された、傾斜した傾斜部であり、
当該複数の光案内部は、前記光源から照射された光を各々の所定領域に案内し、
隣り合う２つの前記開口部の前記所定領域は、一の領域を形成し、
隣り合う２つの前記開口部の前記傾斜部の傾斜方向の延長線は、前記一の領域上で交差する
ことを特徴とする携帯端末。
【請求項２】
前記所定領域には、第１の光拡散部が配設される
ことを特徴とする請求項１に記載の携帯端末。
【請求項３】
前記光案内部に案内される光の通過領域に第２の光拡散部が配設される
ことを特徴とする請求項１または２に記載の携帯端末。
【請求項４】
前記第１の光拡散部は、接着部を有し、
前記第２の光拡散部は、前記接着部により前記第１の光拡散部に接着される
ことを特徴とする請求項３に記載の携帯端末。
【請求項５】
前記光源は、前記筐体の平面方向に光を照射し、
前記第１の光拡散部は、前記筐体の厚さ方向に光を拡散する
ことを特徴とする請求項２から４のいずれか一項に記載の携帯端末。
【発明の詳細な説明】
【技術分野】
【０００１】
本発明は、光を照射する光源を有する携帯端末に関する。
【背景技術】
【０００２】
筐体の少なくとも一部を発光させる発光構造を有する携帯端末が知られている。
発光構造を有する携帯端末は、特定の動作、例えば、音声発着信動作、メール送受信動作、折り畳み型携帯端末の場合の開閉動作等に発光構造が光を発するように構成されている。発光構造を有する携帯端末は、発光により、携帯端末の利用者に対して、例えば表示部の表示を見ずとも着信やメール受信等を報知することができる
このような発光構造を有する携帯端末として、特許文献１に開示された技術がある。
特許文献１には、表面に開口が設けられた筐体と、この筐体に覆われ、前記開口と対向する位置に配設された基板と、この基板に取り付けられた光源と、前記基板に取り付けられ、前記光源の近傍に配置された光源近傍部とこの光源近傍部よりも前記筐体内壁の近傍に前記開口と対応して設けられた開口近傍部とを有する導光板とを備える携帯端末が開示されている。
【０００３】
【特許文献１】特開２００７−６８００４号公報
【発明の開示】
【発明が解決しようとする課題】
【０００４】
しかし、特許文献１に開示された携帯端末では、発光させたい領域の位置・大きさ・範囲等に基づいて開口部が筐体に形成されるので、筐体の強度が低下してしまう、という不利益があった。また、筐体の強度を保つために開口部を小さくすると、小さくした分だけ発光する領域が縮小されてしまう、という不利益があった。
【０００５】
本発明は、上述した不利益を解消するため、大きな発光領域を確保する携帯端末を提供することを目的とする。
【課題を解決するための手段】
【０００６】
上述した不利益を解消するために、第１の発明の携帯端末は、複数の開口部が形成された筐体と、前記筐体内に配設され、前記開口部を通過させる光を発する光源と、を有し、前記複数の開口部は、前記光源から発された光を案内する複数の光案内部を有し、当該光案内部は、前記開口部に形成された、傾斜した傾斜部であり、当該複数の光案内部は、前記光源から照射された光を各々の所定領域に案内し、隣り合う２つの前記開口部の前記所定領域は、一の領域を形成し、隣り合う２つの前記開口部の前記傾斜部の傾斜方向の延長線は、前記一の領域上で交差する。
【０００７】
好適には、前記所定領域には、第１の光拡散部が配設される。
【０００８】
好適には、前記光案内部に案内される光の通過領域に第２の光拡散部が配設される。
【０００９】
好適には、前記第１の光拡散部は、接着部を有し、前記第２の光拡散部は、前記接着部により前記第１の光拡散部に接着される。
【００１０】
好適には、前記光源は、前記筐体の平面方向に光を照射し、前記第１の光拡散部は、前記筐体の厚さ方向に光を拡散する。
【発明の効果】
【００１１】
本発明によれば、大きな発光領域を確保する携帯端末を提供することができる。
【発明を実施するための最良の形態】
【００１２】
以下、本発明の実施形態の携帯端末１００について説明する。
以下の実施形態の携帯端末は、折り畳み型の携帯電話機を想定している。
図１は、本実施形態の携帯端末１００の外観の一例を示した図である。
図１（ａ）は携帯端末１００の開いた状態（開状態）を、図１（ｂ）は携帯端末１００の閉じた状態（閉状態）を示している。
図１（ａ）及び（ｂ）に示すように、携帯端末１００は表示装置１０、表示装置１０及びスピーカ１１が設けられた第１筐体１０１（本発明の筐体に対応）と、操作部１２及びマイク１３が設けられた第２筐体１０２とを有する。
第１筐体１０１と第２筐体１０２とは、ヒンジ部１０３を介して連結・係合される。ヒンジ部１０３は第１筐体１０１と第２筐体１０２とを互いに回動可能にするヒンジ機構を内包している。ヒンジ部１０３により、第１筐体１０１及び第２筐体１０２は、図１（ａ）に示す携帯端末１００の開状態と図１（ｂ）に示す携帯端末１００の閉状態とを遷移可能である。
なお、第１筐体１０１は、外部に露出する面の少なくとも１部が発光する発光構造を内包する。
【００１３】
次に、第１筐体１０１の構成について説明する。
図２は、第１筐体１０１の分解斜視図である。図２においては、符号２１が付された側が携帯端末１００を閉状態にしたときに外側に露出される側であり、符号２９が付された側が携帯端末１００を閉状態にしたときに第２筺体１０２により外側から閉塞される側である。
【００１４】
図２に示すように、第１筐体１０１は、リアプレート２１と、両面テープ２２と、両面テープ２３と、導光板２４（本発明の第２の光拡散部に対応）と、両面テープ２５（本発明の第１の光拡散部に対応）と、リアケース２６（本発明の筐体に対応）と、ＬＥＤ（Light Emitting Diode）２８（本発明の光源に対応）が実装されたフレキシブル基板２７と、フロントケース２９とが積層配設されて構成される。なお、第１筐体１０１内には、表示装置１０やスピーカ１１の動作を制御する電子部品等の各種構成が、リアケース２６とフロントケース２９との間に挟まれて（より詳細にはフレキシブル基板２７とフロントケース２９との間に）保持されているが、本実施形態では当該各種構成についての説明は省略する。
【００１５】
リアプレート２１は、例えば強化ガラスや樹脂製のプレートで形成されるプレート部材であり、両面テープ２２および両面テープ２３を介してリアケース２６に配設されることにより携帯端末１００の閉状態において外部に露出され、第１筐体１０１の主面部を構成する。なお、本実施形態においては、リアプレート２１は、端部領域２１１と中央領域２１２とを異なる領域に区分されて形成されている。
両面テープ２２は、第１筺体１０１の外部側の面がリアプレート２１の中央領域２１２に接着され、第１筺体１０１の内部側の面の面がリアケース２６の中央領域２６２に接着される両面接着部材である。なお、両面テープ２２の形状および大きさは、リアプレート２１の中央領域２１２の形状および大きさと略同一に形成されている。
【００１６】
両面テープ２３は、第１筺体１０１の外部側の面がリアプレート２１の端部領域２１１に接着され、第１筺体１０１の内部側の面が導光板２４に接着される両面接着部材である。なお、両面テープ２３の形状および大きさは、リアプレート２１の端部領域２１１の形状および大きさと略同一に形成されている。
【００１７】
導光板２４は、ほぼ透明な部材、光の拡散率の高い例えばポリカーボネイト等の樹脂により形成される光拡散部であり、第１筺体１０１の外部側の面が、両面テープ２３に接着され、第１筺体１０１の内部側の面が両面テープ２５に接着されることにより、リアケース２６に配設される。また、導光板２４は、第１筺体１０１の幅方向においてＬＥＤ２８と対向するようにリアケース２６に配設されるため、結果として導光板２４は、ＬＥＤ２８と両面テープ２５の間に配設されることとなる。なお、導光板２４の大きさは、リアプレート２１の端部領域２１１の大きさと略同一に形成されている。
【００１８】
両面テープ２５は、第１筺体１０１の外部側の面が導光板２４に接着され、第１筺体１０１の内部側の面がリアケース２６の端部領域に接着される両面接着部材である。なお、両面テープ２５の形状および大きさは、リアプレート２１の端部領域２１１の形状および大きさと略同一に形成されている。
【００１９】
リアケース２６は、樹脂等で形成されたケース体であり、フロントケース２９と周縁部において嵌合されて第１筐体１０１の外観を構成する。また、リアケース２６には、中央領域２６２と端部領域２６３とを区分けするように複数の開口部２６１が形成されて構成される。
図３は、リアケース２６の形状について説明するための図である。
図３（a）は、リアケース２６を第１筐体１０１における外部側正面から見た図である。
図３（a）に示すように、リアケース２６は、複数の開口部２６１（本発明の開口部に対応）と、中央領域２６２と、端部領域２６３と、テープ貼付部２６４とを有する。
【００２０】
リアケース２６に複数開けられた開口部２６１は、ＬＥＤ２８が照射する光を通過させるための孔部である。開口部２６１は、ＬＥＤ２８と同数だけリアケース２６に設けられる。図３（ａ）に示すように、開口部２６１は、第１筐体１０１の外部側正面から見た場合、それぞれほぼ台形形状になるように形成されている。開口部２６１は、台形形状の側辺にあたる、第１筐体１０１の幅方向に対して傾斜した傾斜部２６１１を有する。傾斜部２６１１は、後述するＬＥＤ２８から照射された光を案内する光案内部２６１２を構成する。光案内部２６１２は、開口部２６１の台形形状の傾斜部２６１１に沿って光を案内するためのガイド部である。
図３（ａ）における線Ａ−Ａ’でのリアケース２６の幅方向の断面図を図３（ｂ）に示す。開口部２６１は、図３（ｂ）に示すように中央領域２６２と端部領域２６３との間に開けられている。
【００２１】
中央領域２６２は、リアケース２６の中央部付近を構成する部材であり、ＬＥＤ２８が照射する光を開口部２６１以外から漏れさせないように遮蔽するための光遮蔽部２６５として構成されている。中央領域２６２は、後述する端部領域２６３よりも一段高くなった段差構造を有している。図３（ｃ）に、図３（ａ）に示した線Ｂ−Ｂ’での断面図を示す。図３（ｃ）は、開口部２６１を通過しない位置でのリアケース２６の第１筐体１０１の幅方向の断面図であり、リアケース２６は中央領域２６２と端部領域２６３とが結合して形成されている。端部領域２６３は、図３（ａ）から（ｃ）に示すように、リアケース２６の周縁部（端部）を構成する部材である。中央領域２６２と端部領域２６３とが結合しているため、中央領域２６２により構成される光遮蔽部２６５は開口部２６１以外からＬＥＤ２８が照射する光を漏らさずに済む。
【００２２】
テープ貼付部２６４は、両面テープ２５を貼り付けるためのスペースであり、リアケース２６の端部領域２６３の若干陥没した部位に設けられている。テープ貼付部２６４は、貼り付けられた両面テープ２５によりＬＥＤ２８が照射する光を第１筐体１０１の厚さ方向へと効率よく反射・拡散させるために、図３（ｂ）に示すようにリアケース２６の周縁部から中央部にかけて、第１筐体１０１の厚さ方向に傾斜した傾斜面を形成している。テープ貼付部２６４の傾斜度合いは本発明では特に限定しない。経験的にＬＥＤ２８からの光を効率よく第１筐体１０１の厚さ方向に反射・拡散できる傾斜度合いとすればよい。
また、テープ貼付部２６４に貼り付けられた両面テープ２５には、さらに導光板２４が接着されるため、テープ貼付部２６４のほぼ直上に導光板２４が配設されることになる。
【００２３】
フレキシブル基板２７は、図２に図示しない制御部の制御に応じて各種制御を行う回路基板である。本実施形態においては、フレキシブル基板２７は、第１筺体１０１の外部側の面にＬＥＤ２８が複数実装されており、各ＬＥＤ２８に制御部からの制御信号を伝達するための回路が形成されて構成される。そして、フレキシブル基板２７は、複数のＬＥＤ２８が、リアケース２６に形成された複数の開口部２６１にそれぞれ対応するように、第１筺体１０１の内部に配設される。なお、図示しない制御部は、一部のＬＥＤ２８のみ発光することも、全てのＬＥＤ２８を同時に発光することもできるように構成されている。
ＬＥＤ２８は、例えば発光ダイオード等で構成される光源部である。
【００２４】
図４は、このように、フレキシブル基板２７に実装される複数のＬＥＤ２８が開口部２６１に対応するように配設された様子をリアケース２６における第１筺体１０１の外部側正面から眺めた図である。なお、ＬＥＤ２８は、リアケース２６の中央領域２６２の内面側に位置するため、リアケース２６における第１筺体１０１の外部側正面からリアケース２６を眺めた場合には視認できない。そこで、図４においては、ＬＥＤ２８を点線で囲んで示している。
【００２５】
図５は、第１筐体１０１の幅方向における、複数のＬＥＤ２８のうちの１つを通過する線に沿った断面図である。
図５に示すように、リアケース２６の端部領域２６３における第１筺体１０１の外部側の面には、両面テープ２５を介して導光板２４が配設される。なお、導光板２４は、第１筺体１０１における内部側の面がリアプレート２１の端部領域２１１側に向けて傾斜する傾斜面２４１が形成されているため、この傾斜面に対応して、両面テープ２５が接着されるリアケース２６の端部領域２６３における第１筺体１０１の外部側の面もほぼ同様の傾きで傾斜した傾斜面が形成される。これにより、ＬＥＤ２８から照射された光が確実に光拡散部２５１に入射されるようになる。
【００２６】
なお、両面テープ２５は、光の拡散率・反射率の高い部材（例えば、白色系の着色が施された部材）で形成され、光拡散部２５１を構成する。
また、リアケース２６における第１筺体１０１の外部側の面には、両面テープ２２および両面テープ２３を介してリアプレート２１が配設される。すなわち、リアプレート２１において、中央領域２１２が、リアケース２６の中央領域２６２に接着されると共に、端部領域２１１が導光板２４における第１筺体１０１の外部側の面に接着された両面テープ２３に接着され、これによりリアケース２６における第１筺体１０１の外部側の面に配設される。
【００２７】
なお、リアプレート２１の中央領域２１２は、光の透過率の低い部材（例えば、光の透過率の低い黒色系の着色が施された部材）で形成されており、光遮断部２１４を構成する。また、そこに接着される両面テープ２２も光の透過率の低い部材（例えば、黒色系の着色が施された部材）で形成され、光遮蔽部２２１を構成する。一方、リアプレート２１の端部領域２１１は、光の透過率の高い部材（例えば、透明または半透明の部材）で形成されており、光透過部２１３を構成する。また、端部領域２１１に接着される両面テープ２３も光の透過率の高い部材（例えば、透明または半透明の部材）で形成され、光透過部２３１を構成する。
【００２８】
一方、フレキシブル基板２７は、リアケース２６の中央領域における第１筺体１０１の内部側の面に対向する対向部２７１と、リアケース２６に形成された開口部２６１まで延出された延出部２７２とが形成されるように、リアケース２６の内部側に配設される。また、この延出部２７２における第１筺体１０１の外部側の面にはＬＥＤ２８が配設される。なお、ＬＥＤ２８は、光の照射面２８１が、実際に光が照射される第１筺体１０１の幅方向、すなわち、リアケース２６の中央領域２６２から端部領域２６３を向くように、フレキシブル基板２７の延出部２７２に実装される。
【００２９】
次に、図６を用いてＬＥＤ２８から照射された光が通る道筋について説明する。図６は、図５と同様、第１筐体１０１の幅方向における、複数のＬＥＤ２８のうちの１つを通過する線に沿った断面図である。
図６に示すように、ＬＥＤ２８の照射面２８１は、第１筺体１０１の幅方向を向くように、フレキシブル基板２７の延出部２７２に実装されるため、ＬＥＤ２８から照射された光は、ＬＥＤ２８の照射面２８１に対向する導光板２４に効率よく入射される。
そして、導光板２４に入射された光は、導光板２４に拡散されながら両面テープ２５の光拡散部２５１まで導かれる。特に、導光板２４には、両面テープ２５に接着される第１筺体１０１における内部側の面に傾斜面２４１が形成されているため、導光板２４に入射された光は、両面テープ２５の光拡散部２５１およびリアプレート２１の端部領域２１１まで効率的に導かれる。
【００３０】
そして、光拡散部２５１は、光の拡散率・反射率の高い材料で形成されるため、導光板２４を介して両面テープ２５に入射された光は、光拡散部２５１によりリアプレート２１の光透過部２１３方向にさらに拡散・反射され、第１筐体１０１の厚さ方向を向くように再度導光板２４に入射される。そして、再度導光板２４に入射された光は、第１筺体１０１の外部側に導かれ、その結果、両面テープ２３の光透過部２３１に入射される。光透過部２３１は上述したように光の透過率の高い材料で形成されるため、入射された光はほとんど遮断されることなく、リアプレート２１の光透過部２１３に入射される。そして、リアプレート２１の光透過部２１３も、両面テープ２３の光透過部２３１と同様、光の透過率の高い部材で形成されるため、光透過部２１３に入射された光は、ほとんど遮断されることなく、第１筐体１０１の外部へと放射される。
【００３１】
一方、ＬＥＤ２８の照射面２８１から照射された光には、導光板２４に入射されるものの他、導光板２４を経由せず、直接第１筐体１０１の外部側に向けて照射されるもの、或いは、第１筐体１０１の内部側に向けて照射されるものも含まれる。
しかし、ＬＥＤ２８から直接第１筐体１０１の外部側に向けて照射される光は、光の透過率の低い部材で形成された両面テープ２２およびリアプレート２１に入射されることとなるため、両面テープ２２およびリアプレート２１によりそのほとんどが遮断される。
以上をまとめると、ＬＥＤ２８から照射された光は、主として矢印Ｃに示すように、導光板２４、両面テープ２５、導光板２４、両面テープ２３、リアプレート２１の光透過部２１３を経由する道筋で第１筺体１０１の外部に効率的に放射されることとなる。
【００３２】
次に、ＬＥＤ２８から照射された光が第１筐体１０１の外部からどのように視認されるかについて説明する。
図７は、ＬＥＤ２８から照射されて第１筺体１０１の外部に放射された光が、外部からどのように視認されるかを示した図であり、図７（ａ）は、リアプレート２１が取り外された状態で単一のＬＥＤ２８ａから光が照射されたときの様子をリアケース２６の外部側正面から眺めた図であり、図７（ｂ）は、リアプレート２１が取り付けられた状態で単一のＬＥＤ２８から光が照射されたときの様子をリアケース２６の外部側正面から眺めた図であり、図７（ｃ）は、リアプレート２１が取り付けられた状態で複数のＬＥＤ２８から同時に光が照射されたときの様子をリアケース２６の外部側正面から眺めた図であり、図７（ｄ）は、リアプレート２１が取り外された状態で隣接する２つの開口部２６１の傾斜部２６１１の傾斜方向の延長線が交わる位置について説明するための図である。
【００３３】
図７（ａ）に示すように、フレキシブル基板２７の制御部の制御により、リアケース２６の開口部２６１は、ＬＥＤ２８を中心としてほぼ放射状に形成されているため、例えば、図７（ａ）に示すＬＥＤ２８ａから照射された光は、導光板２４及び光拡散部２５１により放射状に拡散され、結果として図７（ａ）の範囲Ｄ（斜線部）に示す部位がリアケース２６の外部側正面からは光っているように見える。
そして、図７（ｂ）に示すように、この光は、リアプレート２１が取り付けられた場合には、範囲Ｅ（斜線部）に示す部位がリアケース２６の外部側正面からは光っているように見える。
一方、図７（ｃ）に示すように、フレキシブル基板２７の制御部の制御により、複数のＬＥＤ２８から同時に光が照射された場合には、各ＬＥＤ２８から照射されて導光板２４及び光拡散部２５１により放射状に拡散された光が互いに連続しあうため、結果として本発明の一の領域の一例である範囲Ｆ（斜線部）、すなわち、光透過部２１３のほぼ全域がリアケース２６の外部側正面からは光っているように見える。
【００３４】
ここで、図７（ｄ）に示すように、互いに隣接し合う２つの開口部２６１の、光案内部２６１２を構成する傾斜部２６１１の延長線は、図７（ｄ）に示す点Ｇ、すなわち図７（ｃ）における範囲Ｆ（本発明の一の領域）上にて交差するように形成されている。つまり、隣接する複数のＬＥＤ２８から照射されて導光板２４及び光拡散部２５１により放射状に拡散された光は、図７（ｃ）の範囲Ｆの領域に到達されるまではほぼ干渉し合うことなく、また隙間を作ることがないことを意味する。
以上の構成により、本実施形態の携帯端末１００は、図７（ｃ）に示す範囲Ｆ内を光の強度のむらなく光らせることができ、また複数のＬＥＤ２８のうちのいずれかのみを光らせることにより、図７（ａ）に示したような１つのＬＥＤ２８が光らせることができる領域を任意に組み合わせ、面積が広く自由度が高い範囲を任意に光らせることができる。
【００３５】
以上説明したように、本実施形態の携帯端末１００によれば、ほぼ台形形状に形成された開口部２６１の上底部付近にＬＥＤ２８が形成されているため、ＬＥＤ２８から照射された光を、開口部２６１の台形形状の側辺部であり、第１筐体１０１の幅方向に対して傾斜した傾斜部２６１１である光案内部２６１２に沿って拡散させることにより、開口部２６１の領域よりも広い領域である所定の一の領域の一部に光を案内し、当該領域を好適に光らせることができる。つまり、第１筐体１０１の強度の低下を抑制しつつ、大きな発光領域を確保することができる。
また、本実施形態の携帯端末１００によれば、隣接する２つの開口部２６１の、光案内部２６１２を構成する第１筐体１０１の幅方向に対する傾斜部２６１１のうちの近い方の２つの傾斜方向の延長線は、所定の一の領域上にて交差するように形成されているため、隣接する複数のＬＥＤ２８から照射される光は、ほぼ重なることなく、また隙間を作ることなく、所定の一の領域内をむらなく光らせることができる。
また、本実施形態の携帯端末１００によれば、複数のＬＥＤ２８のうち、任意のＬＥＤ２８からのみ光を照射させることにより、面積が広く自由度が高い範囲を任意に光らせることができる。
【００３６】
また、以上説明したように、本実施形態の携帯端末１００によれば、ＬＥＤ２８から照射された光は、ＬＥＤ２８の照射面２８１に対向する導光板２４に効率よく入射され、導光板２４に入射された光は、導光板２４に拡散されながら両面テープ２５の光拡散部２５１まで導かれる。両面テープ２５に入射された光は、光の拡散率・反射率が高い光拡散部２５１によりリアプレート２１の光透過部２１３方向にさらに拡散・反射されて再度導光板２４に入射され、両面テープ２３の光透過部２３１に入射される。光透過部２３１に入射された光は、光の透過率の高い材料で形成された光透過部２３１及び光透過部２１３を殆ど遮断されずに透過し、第１筐体１０１の外部へと放射される。
すなわち、本実施形態の携帯端末１００においては、ＬＥＤ２８からの光を光拡散部２５１により反射・拡散させて光透過部２１３に入射させているため、ＬＥＤ２８の位置と光透過部２１３の位置とを対応付けて配設する必要がない。このため、第１筐体１０１内の発光構造の設計の自由度が高まり、構造の効率化を図ることができるとともに、第１筐体１０１の強度を維持することができる。また、ＬＥＤ２８から筐体幅方向（平面方向）に照射された光が、両面テープ２５により第１筐体１０１の厚さ方向に拡散・反射される構成となっているため、ＬＥＤ２８を第１筐体１０１の厚さ方向に配設する必要がなく、第１筐体１０１の厚さ方向における薄型化が好適に図られる。
【００３７】
また、本実施形態の携帯端末１００によれば、両面テープ２５は、光の拡散率・反射率の高い部材（例えば、白色系の着色が施された部材）で形成されて光拡散部２５１を構成する。また、リアプレート２１の中央領域２１２に接着される両面テープ２２は光の透過率の低い、例えば、黒色系の着色が施された部材で形成されて光遮蔽部２２１を構成する。さらに、リアプレート２１の端部領域２１１に接着される両面テープ２２は光の透過率の高い部材、例えば、透明または半透明の部材で形成されて光透過部２３１を構成する。
従って、光拡散部２５１、光透過部２３１、光遮蔽部２２１は、それぞれ発光構造の構成要素を接着・固定するための両面テープ２５、２３、２２と一体に構成されているため、発光構造の部品点数を削減することができる。また、光拡散部２５１は、リアプレート２１の光拡散部２５１の位置・大きさ・範囲に対応するように第１筐体１０１に配設されるため、ＬＥＤ２８から照射され、かつ光案内部２６１２に沿って拡散された光を好適に所定の位置の領域に拡散・反射させることができる。
【００３８】
また、本実施形態の携帯端末１００によれば、ＬＥＤ２８から直接第１筐体１０１の外部側に向けて照射される光は、光の透過率の低い部材で形成された両面テープ２２およびリアプレート２１に入射されることとなるため、両面テープ２２およびリアプレート２１によりそのほとんどが遮断される。このため、ＬＥＤ２８から照射された光は、第１筐体１０１の外部へと放出するために光を反射・拡散させる両面テープ２５の光拡散部２５１へと光を導く導光板２４に効率よく入射され、その他の部位への光漏れを抑えることができる。これにより、ＬＥＤ２８からの光を効率よく外部に放出することができる。
【００３９】
また、本実施形態の携帯端末１００によれば、導光板２４には、両面テープ２５に接着される第１筺体１０１における内部側の面に傾斜面２４１が形成されているため、導光板２４に入射された光は、両面テープ２５の光拡散部２５１およびリアプレート２１の端部領域２１１まで効率的に導かれる。
【００４０】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
上述した実施形態においては、携帯端末１００は折り畳み型の携帯電話機であるとしたが、本発明はこれには限定されない。発光構造を有する電子機器類であれば、折り畳み型以外の携帯電話機、ＰＤＡ（Personal Digital Assistant）等の電子機器であってもよい。
【図面の簡単な説明】
【００４１】
【図１】図１は、携帯端末の外観の一例を示した図である。
【図２】図２は、第１筐体の発光構造の分解斜視図である。
【図３】図３は、リアケースの形状について説明するための図である。
【図４】図４は、フレキシブル基板に実装される複数のＬＥＤが開口部に対応するように配設された様子をリアケースにおける第１筺体の外部側正面から眺めた図である。
【図５】図５は、図３に示す線Ａ−Ａ’における断面図である。
【図６】図６は、ＬＥＤから照射された光が通る道筋について説明するための図である。
【図７】図７は、ＬＥＤから照射されて第１筺体の外部に放射された光が、外部からどのように視認されるかを示した図である。
【符号の説明】
【００４２】
１００…携帯端末、１０１…第１筐体、１０２…第２筐体、１０３…ヒンジ部、１０…表示装置、１１…スピーカ、１２…操作部、１３…マイク、２１…リアプレート、２１１…端部領域、２１２…中央領域、２１３…光透過部、２１４…光遮断部、２２…両面テープ、２２１…光遮蔽部、２３…両面テープ、２３１…光透過部、２４…導光板、２４１…傾斜面、２５…両面テープ、２５１…光拡散部、２６…リアケース、２６１…開口部、２６１１…傾斜部、２６１２…光案内部、２６２…中央領域、２６３…端部領域、２６４…テープ貼付部、２６５…光遮蔽部、２７…フレキシブル基板、２７１…対向部、２７２…延出部、２８…ＬＥＤ、２８１…照射面、２９…フロントケース
【図１】
0005110582.tif 000002
【図２】
0005110582.tif 000003
【図３】
0005110582.tif 000004
【図４】
0005110582.tif 000005
【図５】
0005110582.tif 000006
【図６】
0005110582.tif 000007
【図７】
0005110582.tif 000008